(57)【要約】【課題】妨害排除能力を維持したまま高変調度での帯域制限誤作動を防止すること。【解決手段】ＦＭ放送信号を中間周波数信号に変換する第２の混合器１４と、第２の混合器１４の後段に接続されたＩＦバンドパスフィルタ１５と、バンドパスフィルタを通過した中間周波数信号を検波するＦＭ検波回路１６と、ＦＭ放送信号の信号レベルを検出するＳメータ回路２２，２３と、ＦＭ放送信号の信号レベルが小さい時は、Ｓメータ回路２３の出力信号に重畳されたＡＣ成分に基づいて通過帯域を制御する制御回路２５とを備え、さらに変調度と妨害波の有無との組み合わせに応じて、妨害波が存在しない状況ではＩＦバンドパスフィルタ１５の通過帯域が狭帯域へ切り替わらない方向へ、ＡＣ成分のレベル値を変更する負荷切替回路３１を備えたＦＭ受信装置である。【選択図】図１
2010213080.tif 000002
【特許請求の範囲】
【請求項１】
受信したＦＭ放送信号を中間周波数信号に変換する周波数変換回路と、
前記周波数変換回路の後段に接続され通過帯域を可変可能で前記中間周波数信号を通過させるバンドパスフィルタと、
前記バンドパスフィルタを通過した中間周波数信号を検波する検波回路と、
前記ＦＭ放送信号の信号レベルを検出するレベル検出回路と、
前記ＦＭ放送信号の信号レベルが所定値よりも小さい時は、前記レベル検出回路の出力信号に重畳されたＡＣ成分に基づいて、前記バンドパスフィルタの通過帯域を制御する制御回路と、
前記検波信号から前記ＦＭ放送信号の変調度を検出する変調度検出回路と、
前記検波信号から前記ＦＭ放送信号に対する妨害波の有無を検出する妨害波検出回路と、
検出された変調度と妨害波の有無との組み合わせに応じて、妨害波が存在しない状況では前記バンドパスフィルタの通過帯域が狭帯域へ切り替わらない方向へ、前記ＡＣ成分のレベル値を変更する変更回路と、
を具備したことを特徴とするＦＭ受信装置。
【請求項２】
前記変更回路は、前記変調度検出回路の出力信号が「高変調度」を示すハイレベルで、かつ前記妨害波検出回路の出力信号が妨害波「無し」を示すローレベルである場合、前記ＡＣ成分のレベル値を、前記バンドパスフィルタに広帯域が設定される側へ変更することを特徴とする請求項１記載のＦＭ受信装置。
【請求項３】
前記変更回路は、前記変調度検出回路の出力信号が「高変調度」を示すハイレベルで、かつ前記妨害波検出回路の出力信号が妨害波「有り」を示すハイレベルである場合、前記ＡＣ成分のレベル値を、前記バンドパスフィルタに狭帯域が設定される側へ変更することを特徴とする請求項１又は請求項２記載のＦＭ受信装置。
【請求項４】
前記変更回路は、前記レベル検出回路の出力段に対して、前記ＡＣ成分のレベル値を高い側へシフトする負荷抵抗を接続状態又は非接続状態に切替え可能に構成され、
前記変調度検出回路の出力信号がハイレベルで、かつ前記妨害波検出回路の出力信号がローレベルの時に、前記負荷抵抗を接続状態となし、
前記変調度検出回路の出力信号がハイレベルで、かつ前記妨害波検出回路の出力信号がハイレベルの時に、前記負荷抵抗を非接続状態となす
ことを特徴とする請求項１から請求項３のいずれかに記載のＦＭ受信装置。
【請求項５】
前記ＦＭ放送信号の信号レベルが所定値よりも高い時は、前記検波回路の出力信号と前記妨害波検出回路の出力信号とを基にした制御信号を前記制御回路へ入力することを特徴とする請求項１から請求項４のいずれかに記載のＦＭ受信装置。
【発明の詳細な説明】
【技術分野】
【０００１】
本発明は、周波数変調（Frequency Modulation)された信号を受信するＦＭ受信装置に関する。
【背景技術】
【０００２】
ＦＭ信号は、音声信号等に基づいて搬送波の周波数を変化させるため、ＡＭ信号に比べて広い周波数帯域を必要とする。そのため、ＦＭ受信装置において、目的とするＦＭ信号を受信する場合、その周波数付近で送信される隣接信号の妨害（以下、「隣接妨害」という）を受ける可能性がある。そこで、目的ＦＭ信号を抽出するバンドパスフィルタの帯域を狭帯域に切り替えることで隣接妨害の軽減を図るようにしていた。
【０００３】
図４は従来のＦＭ受信装置の全体構成図である。同図に示すＦＭ受信装置は、ＦＭ信号を第１の混合器１１でＩＦ周波数（例えば１０．７ＭＨｚ）に変換し、ＩＦ増幅器１２、ＩＦフィルタ１３を介して第２の混合器１４へ入力する。第２の混合器１４においてＩＦ周波数をさらに低いＩＦ周波数（例えば４５０ｋＨｚ）に変換した後、帯域可変型のＩＦバンドパスフィルタ１５で周波数選択性を持たせてからＦＭ検波回路１６で検波し、ＦＭ検波回路１６で復調した信号をミュート回路１７で増幅し、音声信号として出力する。帯域可変型のＩＦバンドパスフィルタ１５は後述する帯域制御系回路２０によって狭帯域と広帯域とに切り替えられる。ＡＦＣ回路１８は、局部発振周波数の変動を検出する回路と発振周波数を制御する回路から構成され、ＩＦ信号をＦＭ検波して積分し、ＩＦからのずれに対応した直流電圧（ＡＦＣ電圧）を得て、このＡＦＣ電圧によって局部発振周波数を補正する方向に制御することで正確なＩＦへ補正している。
【０００４】
以上のＦＭ受信装置では、隣接妨害発生時の排除能力向上を目的として、ＩＦバンドパスフィルタ１５の制限帯域を広帯域と狭帯域とに切り替える帯域制御系回路２０を備えている。帯域制御系回路２０において、切替回路２１が電界強度によって帯域制御を行う経路を、経路Ａ又は経路Ｂに切り替えている。ＩＦフィルタ１３の後段に接続されたＳメータ回路（ＤＣ）２２が生成する電界強度に対してリニアに比例する電圧を切替回路２１へ出力する。切替回路２１は、中電界未満であれば経路Ａを選択し、中電界以上であれば経路Ｂを選択する。
【０００５】
ここで、経路Ａにおいては、Ｓメータ回路（ＡＣ）２３の出力信号に重畳されるＡＣ成分をハイパスフィルタ２４で取り出し、切替回路２１へ出力する。中電界未満のために経路Ａが選択された場合、ＡＣ成分が切替回路２１を介して制御回路２５に与えられる。制御回路２５は、ＡＣ成分の周波数に応じてＩＦバンドパスフィルタ１５の制限帯域を広帯域から狭帯域の間で制御する。また、経路Ｂにおいては、ミュート回路１７から出力された変調成分のノイズ量をローパスフィルタ２６で抽出し、切替回路２１へ出力する。中電界以上のために経路Ｂが選択された場合、ノイズ成分が切替回路２１を介して制御回路２５に与えられる。制御回路２５は、ノイズ成分を隣接妨害と判断し、ＩＦバンドパスフィルタ１５の制限帯域を狭帯域に制御する。
【０００６】
このように、従来のＦＭ受信装置では、電界強度が中電界以上であれば隣接妨害発生と判断してＩＦバンドパスフィルタ１５の制限帯域を狭帯域に制御することで、隣接妨害を除去していた。
【先行技術文献】
【特許文献】
【０００７】
【特許文献１】特開２００８−１９９２６８号公報
【発明の概要】
【発明が解決しようとする課題】
【０００８】
しかしながら、従来のＦＭ受信装置の場合、ノイズ成分が変調度の高い時と隣接妨害発生時とで同じ傾向を示すことから、隣接妨害が発生していないにも拘わらず制限帯域を狭帯域に切り替えて歪が増大する問題がある。
【０００９】
図５（ａ）（ｂ）に示すように、隣接妨害が無い場合には中電界以下の領域で変調度が中程度（７５．０ｋ）までは信号（ＡＣ成分）が電界強度の感度しきい値を超えない。一方、図５（ｄ）に示すように妨害発生時にはＡＣ成分が電界強度の感度しきい値を超えるため、狭帯域に切り替わる。ところが、図５（ｃ）に示すように、隣接妨害が無い場合であっても変調度が高くなると（１３０．０ｋ）、ＡＣ成分が電界強度の感度しきい値を超えてしまう。図５（ｃ）と同図（ｄ）を比較すると明らかなように、変調度の高い時の信号成分と隣接妨害発生時のノイズ成分とは同じ傾向を示すので判別が困難である。この対策として、感度しきい値を下げることが考えられるが、これでは隣接妨害発生時にも感度しきい値が低いために狭帯域に切り替わらない弊害が発生する。
【００１０】
図６は高変調時（１３０ｋ  ｄｅｖ）における狭帯域と広帯域での歪み特性を示している。狭帯域では電界強度が小さくなると歪み特性が極度に悪化することが判る。したがって、中電界以下の領域では隣接妨害が発生していないにも拘わらず狭帯域に制御すると歪が増大する。
【００１１】
本発明は、かかる点に鑑みてなされたものであり、妨害排除能力を維持したまま高変調度での帯域制限誤作動を防止できるＦＭ受信装置を提供することを目的とする。
【課題を解決するための手段】
【００１２】
本発明のＦＭ受信装置は、受信したＦＭ放送信号を中間周波数信号に変換する周波数変換回路と、前記周波数変換回路の後段に接続され通過帯域を可変可能で前記中間周波数信号を通過させるバンドパスフィルタと、前記バンドパスフィルタを通過した中間周波数信号を検波する検波回路と、前記ＦＭ放送信号の信号レベルを検出するレベル検出回路と、前記ＦＭ放送信号の信号レベルが所定値よりも小さい時は、前記レベル検出回路の出力信号に重畳されたＡＣ成分に基づいて、前記バンドパスフィルタの通過帯域を制御する制御回路と、前記検波信号から前記ＦＭ放送信号の変調度を検出する変調度検出回路と、前記検波信号から前記ＦＭ放送信号に対する妨害波の有無を検出する妨害波検出回路と、検出された変調度と妨害波の有無との組み合わせに応じて、妨害波が存在しない状況では前記バンドパスフィルタの通過帯域が狭帯域へ切り替わらない方向へ、前記ＡＣ成分のレベル値をシフトさせる変更回路とを具備したことを特徴とする。
【００１３】
この構成によれば、検出された変調度と妨害波の有無との組み合わせに応じて、妨害波が存在しない状況では前記バンドパスフィルタの通過帯域が狭帯域へ切り替わらない方向へ、前記ＡＣ成分のレベル値をシフトさせるので、高変調度でバンドパスフィルタの通過帯域が狭帯域へ切り替わる帯域制限誤作動を防止でき、しかも妨害波が存在する状況ではＡＣ成分のレベル値を戻すこともできるので、妨害波を排除する妨害排除能力を維持することもできる。
【００１４】
また本発明は、上記ＦＭ受信装置において、前記変更回路は、前記変調度検出回路の出力信号が「高変調度」を示すハイレベルで、かつ前記妨害波検出回路の出力信号が「妨害波無し」を示すローレベルである場合、前記ＡＣ成分のレベル値を、前記バンドパスフィルタに広帯域が設定される側へ変更することを特徴とする。
【００１５】
この構成により、「高変調度」と「妨害波無し」の組合せであれば、ＡＣ成分のレベル値をバンドパスフィルタに広帯域が設定される側へシフトさせるので、高変調度のＦＭ信号に対して広帯域の帯域制限を掛けることができ、歪みの発生を抑制できる。
【００１６】
また本発明は、上記ＦＭ受信装置において、前記変更回路は、前記変調度検出回路の出力信号が「高変調度」を示すハイレベルで、かつ前記妨害波検出回路の出力信号が「妨害波有り」を示すハイレベルである場合、前記ＡＣ成分のレベル値を、前記バンドパスフィルタに狭帯域が設定される側へ変更することを特徴とする。
【００１７】
この構成により、「高変調度」と「妨害波有り」の組み合わせを見てバンドパスフィルタに狭帯域が設定される側へＡＣ成分のレベル値を変更するので、従来方式では判別が困難であったケースについても、「高変調度」に対して帯域制限誤作動防止のために固定的に感度しきい値を下げるような対策を取ることなく、適切に妨害波を排除することができる。
【００１８】
上記ＦＭ受信装置において、前記変更回路は、前記レベル検出回路の出力段に対して、前記ＡＣ成分のレベル値を高い側へシフトする負荷抵抗を接続状態又は非接続状態に切替え可能に構成され、前記変調度検出回路の出力信号がハイレベルで、かつ前記妨害波検出回路の出力信号がローレベルの時に、前記負荷抵抗を接続状態となし、前記変調度検出回路の出力信号がハイレベルで、かつ前記妨害波検出回路の出力信号がハイレベルの時に、前記負荷抵抗を非接続状態となす構成とすることができる。
【００１９】
上記ＦＭ受信装置において、前記ＦＭ放送信号の信号レベルが所定値よりも高い時は、前記検波回路の出力信号と前記妨害波検出回路の出力信号とを基にした制御信号を前記制御回路へ入力する構成としても良い。
【発明の効果】
【００２０】
本発明によれば、妨害排除能力を維持したまま高変調度での帯域制限誤作動を防止できるＦＭ受信装置を提供できる。
【図面の簡単な説明】
【００２１】
【図１】本発明の一実施の形態に係るＦＭ受信装置の構成図
【図２】上記実施の形態における負荷切替回路の構成図
【図３】上記実施の形態における負荷切替回路での切替判定のためのマトリクスを示す図
【図４】従来のＦＭ受信装置の構成図
【図５】変調度及び妨害発生時の電界強度とノイズ比較との関係を示す図
【図６】広帯域と狭帯域での歪特性を示す図
【発明を実施するための形態】
【００２２】
以下、本発明の実施の形態について添付図面を参照して詳細に説明する。
図１は本発明の一実施の形態に係るＦＭ受信装置の構成図である。なお、図４に示すＦＭ受信装置と同一部分には同一符号を付している。本実施の形態は、経路Ａにおいて、ハイパスフィルタ２４の出力段に対して、ＡＣ成分が重畳する出力信号を全体として高レベル側へシフトさせる負荷を、装荷又は取外し自在に構成している。すなわち、ハイパスフィルタ２４の出力段に負荷抵抗を接続又は非接続とする切替回路３１と、切替回路３１に対して負荷抵抗の接続／非接続を指示する判定部３２とを備えている。
【００２３】
図２に切替回路３１及び判定部３２の概念図を示す。
切替回路３１は、経路Ａの伝送ラインＬに一端が接続された負荷抵抗３１ａと、負荷抵抗３１ａの他端とグラウンドとの間に設けられたスイッチ３１ｂとを備えて構成される。ハイパスフィルタ２４の出力段に負荷抵抗３１ａを接続することで、ハイパスフィルタ２４のＡＣ成分まで含んだ広帯域の出力信号を高レベル側へシフトさせることができる。すなわち、スイッチ３１ｂをオンすることによりハイパスフィルタ２４のＡＣ成分まで含んだ出力信号が高レベル側へシフトし、スイッチ３１ｂをオフすることによりハイパスフィルタ２４の出力信号が低レベル側へシフトする。
【００２４】
判定部３２は、ＡＦＣ回路１８から出力されるＡＦＣ電圧に基づいて隣接妨害の有無を検出する隣接妨害検出部３２ａと、ミュート回路１７の出力する音声信号から変調度を検出する変調度検出部３２ｂと、隣接妨害検出結果と変調度検出結果とから負荷切替えを判定する判定ロジック部３２ｃとを備える。判定ロジック部３２ｃは、図３に示す隣接妨害の検出経路状況（Ｌｏｗ／Ｈｉｇｈ）と変調度の検出経路状況（Ｌｏｗ／Ｈｉｇｈ）との組み合わせに対応して、負荷の接続／非接続を判定している。切替回路３１及び判定ロジック部３２ｃでＡＣ成分のレベル値をシフトさせる変更回路を構成する。
【００２５】
図３に示すように、ＡＦＣ回路１８は、隣接妨害の無い状況では、同調点においてＡＦＣ電圧が０近傍のプラス側又はマイナス側の所定範囲内となる（ローレベルレンジ）。一方、隣接妨害の発生している状況では、同調点においてＡＦＣ電圧がプラス側又はマイナス側に所定範囲外となるハイレベルレンジとなる。
【００２６】
隣接妨害検出部３２ａは、ＡＦＣ電圧が同調点においてプラス側又はマイナス側に所定範囲内となる０近傍のローレベルレンジであれば、隣接妨害の検出経路状況について隣接妨害「無し」と判定する（Ｌｏｗ判定）。また、ＡＦＣ電圧が同調点においてプラス側又はマイナス側に所定範囲外となるハイレベルレンジであれば、隣接妨害の検出経路状況について隣接妨害「有り」と判定する（Ｈｉｇｈ判定）。
【００２７】
また、図３に示すように、ミュート回路１７から出力される正弦波の音声信号は、変調度がある程度の数値まではピーク値が所定範囲内に収まる（ローレベルレンジ）。一方、変調度がある数値を超えて過変調になるとピーク値が所定範囲内に収まらなくなる（ハイレベルレンジ）。
【００２８】
変調度検出部３２ｂは、音声信号のピーク値から検出される変調度が所定範囲内のローレベルレンジであれば、変調度検出経路状況について低変調度と判定する（Ｌｏｗ判定）。また、変調度が所定範囲外となるハイレベルレンジであれば、変調度検出経路状況について高変調度と判定する（Ｈｉｇｈ判定）。
【００２９】
判定ロジック部３２ｃは、隣接妨害検出経路状況の検出結果と変調度検出経路状況の検出結果との組み合わせで負荷切替えのための判定ロジックを組んでいる。すなわち、図３に示すように、隣接妨害検出経路状況がＬｏｗ判定で、かつ変調度検出経路状況がＬｏｗ判定の場合、並びに隣接妨害検出経路状況がＬｏｗ判定で、かつ変調度検出経路状況がＨｉｇｈ判定の場合は、「負荷接続」と判定する。特に、変調度検出経路状況がＨｉｇｈ判定（高変調度）であっても、隣接妨害検出経路状況がＬｏｗ判定であれば、ハイパスフィルタ２４の出力端子とグラウンドとの間に負荷抵抗３１ａを投入して、ＡＣ成分まで含んだ広帯域の出力信号を高レベル側へシフトさせている。また、隣接妨害検出経路状況がＨｉｇｈ判定で、かつ変調度検出経路状況がＬｏｗ判定の場合、並びに隣接妨害検出経路状況がＨｉｇｈ判定で、かつ変調度検出経路状況がＨｉｇｈ判定の場合は、「非負荷接続」と判定する。特に、変調度検出経路状況がＬｏｗ判定であっても、隣接妨害検出経路状況がＨｉｇｈ判定で隣接妨害が発生している場合は、負荷抵抗３１ａのグラウンド側をオープンにして、ＡＣ成分まで含んだ広帯域の出力信号を低レベル側へシフトさせている。
【００３０】
次に、以上のように構成されたＦＭ受信装置におけるＩＦバンドパスフィルタ１５の帯域切替動作について説明する。切替回路２１にはＳメータ回路（ＤＣ）２２から入力電界強度に対してリニアに比例する電圧が入力する。切替回路２１は、Ｓメータ回路（ＤＣ）２２の出力電圧に基づいて現在の電界強度が中電界強度レベルか否か判断し、中電界強度よりも弱ければ経路Ａを選択し、中電界強度よりも強ければ経路Ｂを選択する。切替回路２１が経路Ａを選択した場合、制御回路２５は経路Ａのハイパスフィルタ２４から出力される出力信号に重畳されたＡＣ成分と感度しきい値とを比較してＩＦバンドパスフィルタ１５の制限帯域を切替える。具体的には、ＡＣ成分が電界強度の感度しきい値を超えなければ広帯域に設定し、ＡＣ成分が電界強度の感度しきい値を超えると狭帯域に切り替える。
【００３１】
このとき、制御回路２５に入力する経路Ａの出力信号は負荷切替回路３１により、図３に示す判定ロジックに従って強電界強度側又は低電界強度側へシフトする補正が加えられる。判定ロジック部３２ｃは、隣接妨害検出経路状況がＬｏｗ判定で隣接妨害が発生していない状況下において、変調度検出経路状況がＬｏｗ判定で変調度も小さい場合、負荷投入ＯＮの判定結果をスイッチ３１ｂに出力し、ハイパスフィルタ２４の出力端子とグラウンドとの間に負荷抵抗３１ａを投入し、ＡＣ成分まで含んだ広帯域の出力信号を高レベル側へシフトさせる。
【００３２】
本実施の形態では、変調度検出経路状況がＨｉｇｈ判定で高変調度であることが検出された場合であっても、隣接妨害検出経路状況がＬｏｗ判定で隣接妨害が発生していない状況下であれば、負荷投入ＯＮの判定結果をスイッチ３１ｂに出力する。この結果、高変調度の状況にも、ハイパスフィルタ２４の出力端子とグラウンドとの間に負荷抵抗３１ａが投入されて、ＡＣ成分まで含んだ広帯域の出力信号が高レベル側へシフトする。このような経路Ａの信号が入力した制御回路２５では、出力信号が高レベル側へシフトすることで電界強度の感度しきい値が下げられることとなり、高変調度の信号が感度しきい値を超えて狭帯域に切り替えられることを防止できる。
【００３３】
このように、従来方式では判別困難であった図５（ｃ）（ｄ）に示すケースであっても、図５（ｃ）に示すケースのみ感度しきい値を下げて、ＩＦバンドパスフィルタ１５の制限帯域が狭帯域に切替わるのを防止できる。
【００３４】
また、判定ロジック部３２ｃは、隣接妨害検出経路状況がＨｉｇｈ判定で隣接妨害が発生していれば、変調度検出経路状況がＬｏｗ判定で変調度が低い場合であっても、負荷投入ＯＦＦの判定結果をスイッチ３１ｂに出力し、ハイパスフィルタ２４の出力端子に接続された負荷抵抗３１ａをオープン状態にし、ＡＣ成分まで含んだ広帯域の出力信号を低レベル側へシフトさせる。これにより、制御回路２５における感度しきい値が上がるので、切替回路２１が経路Ｂに切り替えるのを待つことなく、ＩＦバンドパスフィルタ１５の制限帯域が狭帯域に切替えることができる。
【００３５】
本実施の形態では、隣接妨害検出経路状況がＨｉｇｈ判定で、かつ変調度検出経路状況がＨｉｇｈ判定の場合には、負荷投入ＯＦＦの判定結果をスイッチ３１ｂに出力し、ハイパスフィルタ２４の出力端子に接続された負荷抵抗３１ａをオープン状態にし、ＩＦバンドパスフィルタ１５の制限帯域を狭帯域に切替える。
【００３６】
このように、従来方式では判別困難であった図５（ｃ）（ｄ）に示すケースであっても、図５（ｄ）に示すケースのみ感度しきい値を上げて、ＩＦバンドパスフィルタ１５の制限帯域を確実に狭帯域に切替えることができる。
【００３７】
なお、中電界以上の場合は、切替回路２１が経路Ｂを選択し、制御回路２５がＩＦバンドパスフィルタ１５の制限帯域を狭帯域に切替える。
【００３８】
このように本実施の形態によれば、ハイパスフィルタ２４の出力段に負荷抵抗３１ａを接続又は非接続とする切替回路３１と、切替回路３１に対して負荷抵抗３１ａの接続／非接続を指示する判定部３２とを備え、隣接妨害検出経路状況（Ｌｏｗ／Ｈｉｇｈ）と変調度検出経路状況（Ｌｏｗ／Ｈｉｇｈ）との組み合わせにより、負荷接続／非接続を判定するようにしたので、妨害排除能力を維持したまま高変調度での帯域制限誤作動を防止できる。
【００３９】
また、本発明は上記実施の形態に限定されるものではなく、ＦＭ放送信号の信号レベルが所定値よりも高い時は、前記ＡＦＣＦ回路１８の出力信号と隣接妨害検出部３２ａの出力信号とを基にした制御信号を前記制御回路２５へ入力する構成としても良い。
【産業上の利用可能性】
【００４０】
本発明は、ＦＭ受信装置に搭載したＩＦバンドパスフィルタの制限帯域の切替え制御に適用可能である。
【符号の説明】
【００４１】
１１  第１の混合器
１２  ＩＦ増幅器
１３  ＩＦフィルタ
１４  第２の混合器
１５  ＩＦバンドパスフィルタ
１６  ＦＭ検波回路
１７  ミュート回路
１８  ＡＦＣ回路
２０  帯域制御系回路
２１  切替回路
２２  Ｓメータ回路（ＤＣ）
２３  Ｓメータ回路（ＡＣ）
２４  ハイパスフィルタ
２５  制御回路
２６  ローパスフィルタ
３１  切替回路
３１ａ  負荷抵抗
３１ｂ  スイッチ
３２  判定部
３２ａ  隣接妨害検出部
３２ｂ  変調度検出部
【図１】
2010213080.tif 000003
【図２】
2010213080.tif 000004
【図３】
2010213080.tif 000005
【図４】
2010213080.tif 000006
【図５】
2010213080.tif 000007
【図６】
2010213080.tif 000008